(57)【要約】【課題】  駐車中における駐車ブレーキの凍結を確実に防止することができる車両用電動駐車ブレーキ装置を提供する。【解決手段】  駐車ブレーキ２の作動後に、外気温度センサ１０が駐車ブレーキ２の凍結に至る直前温度以下の外気温度を検出した際に、電動駆動手段３により駐車ブレーキ２を解除するようにしたため、駐車ブレーキ２の駐車中の凍結を確実に防止できる。また、駐車中に駐車ブレーキ２が解除されても、解除される場合は必ず自動変速機がＰポジションになっているため、自動変速機のパーキングロック機構により、車両の移動は禁止される。【選択図】        図２
2005082035.tif 000002
【特許請求の範囲】
【請求項１】
電動駆動手段（３）の駆動力により駐車ブレーキ（２）の作動及び解除を行う車両用電動駐車ブレーキ装置であって、
自動変速機のレンジがＰポジションに入っている状態を検出するＰポジションセンサ（８）と、車両の外気温度を検出する外気温度センサ（１０）とを設け、
駐車ブレーキ（２）の作動後に、Ｐポジションセンサ（８）が自動変速機のＰポジションを検出し、且つ外気温度センサ（１０）が駐車ブレーキ（２）の凍結に至る直前温度以下の外気温度を検出した際に、電動駆動手段（３）により駐車ブレーキ（２）を解除することを特徴とする車両用電動駐車ブレーキ装置。
【請求項２】
電動駆動手段（３）の駆動力により駐車ブレーキ（２）の作動及び解除を行う車両用電動駐車ブレーキ装置であって、
自動変速機のレンジがＰポジションに入っている状態を検出するＰポジションセンサ（８）と、自己の半凍結状態により駐車ブレーキ（２）の初期凍結状態を検出する初期凍結センサ（１４）とを設け、
駐車ブレーキ（２）の作動後に、Ｐポジションセンサ（８）が自動変速機のＰポジションを検出し、且つ初期凍結センサ（１４）が駐車ブレーキ（２）の初期凍結状態を検出した際に、電動駆動手段（３）により駐車ブレーキ（２）を解除することを特徴とする車両用電動駐車ブレーキ装置。
【請求項３】
請求項２記載の初期凍結センサであって、
水（１８）を含んだ膨張部（１７）と、該膨張部（１７）の半凍結時における体積膨張により接続する一対の接点（１９、２０）を備えたことを特徴とする初期凍結センサ。
【発明の詳細な説明】
【技術分野】
【０００１】
本発明は、駐車ブレーキの凍結による解除不能状態を回避することができる車両用電動駐車ブレーキ装置及び初期凍結センサに関する。
【背景技術】
【０００２】
寒冷地等において、駐車ブレーキを作動させたままの状態で長時間駐車すると、その間に駐車ブレーキが凍結し、駐車後に自動車を発進できなくなるおそれがある。そのため、電動駆動手段により駐車ブレーキを作動させる電動駐車ブレーキ装置の場合にあっては、電動駆動手段により駐車ブレーキの作動を行おうとする際に、車両に設置された外気温センサが駐車ブレーキの凍結が予測される温度（０°Ｃ以下）を検出した場合には、電動駆動手段による駐車ブレーキの作動を禁止する構造になっている（例えば、特許文献１。）。
【特許文献１】特開２００１−１０６０５９号公報
【発明の開示】
【発明が解決しようとする課題】
【０００３】
しかしながら、このような従来の技術にあっては、駐車ブレーキを作動させる際の外気温度だけに基づいて、駐車ブレーキの作動と作動禁止を判断しているため、作動させようとする際には外気温度が高く、その後に低くなる場合には対処できない。すなわち、外気温度が高いために駐車ブレーキの作動を許可したが、その後に外気温度が低下して、駐車ブレーキが凍結に至ってしまう状況は回避できない。
【０００４】
本発明は、このような従来の技術に着目してなされたものであり、駐車中における駐車ブレーキの凍結を確実に防止することができる車両用電動駐車ブレーキ装置を提供するものである。
【課題を解決するための手段】
【０００５】
請求項１記載の発明は、電動駆動手段の駆動力により駐車ブレーキの作動及び解除を行う車両用電動駐車ブレーキ装置であって、自動変速機のレンジがＰポジションに入っている状態を検出するＰポジションセンサと、車両の外気温度を検出する外気温度センサとを設け、駐車ブレーキの作動後に、Ｐポジションセンサが自動変速機のＰポジションを検出し、且つ外気温度センサが駐車ブレーキの凍結に至る直前温度以下の外気温度を検出した際に、電動駆動手段により駐車ブレーキを解除することを特徴とする。
【０００６】
請求項２記載の発明は、電動駆動手段の駆動力により駐車ブレーキの作動及び解除を行う車両用電動駐車ブレーキ装置であって、自動変速機のレンジがＰポジションに入っている状態を検出するＰポジションセンサと、自己の半凍結状態により駐車ブレーキの初期凍結状態を検出する初期凍結センサとを設け、駐車ブレーキの作動後に、Ｐポジションセンサが自動変速機のＰポジションを検出し、且つ初期凍結センサが駐車ブレーキの初期凍結状態を検出した際に、電動駆動手段により駐車ブレーキを解除することを特徴とする。
【０００７】
請求項３記載の発明は、初期凍結センサが、水を含んだ膨張部と、該膨張部の半凍結時における体積膨張により接続する一対の接点とを備えたことを特徴とする。
【発明の効果】
【０００８】
請求項１記載の発明によれば、駐車ブレーキの作動後に、外気温度センサが駐車ブレーキの凍結に至る直前温度以下の外気温度を検出した際に、電動駆動手段により駐車ブレーキを解除するようにしたため、駐車ブレーキの駐車中の凍結を確実に防止できる。「凍結に至る直前温度以下の外気温度」とは、凍結に至る直前温度（０°Ｃに至る直前温度）と、それ以下の凍結に至る温度（０°Ｃ以下）を含む範囲の温度域を意味する。すなわち、駐車ブレーキの作動時にすでに凍結に至る温度である場合には、作動後に直ぐに駐車ブレーキが解除される。また、作動時には凍結に至る温度ではなく、その後に凍結に至る温度になろうとする場合には、本凍結に至る直前温度で駐車ブレーキが解除され、駐車ブレーキの凍結が確実に防止される。また、駐車中に駐車ブレーキが解除されても、解除される場合は必ず自動変速機がＰポジションになっているため、自動変速機のパーキングロック機構により、車両の移動は禁止される。
【０００９】
請求項２記載の発明によれば、駐車ブレーキの作動後、初期凍結センサにより駐車ブレーキの初期凍結状態を検出した際に、電動駆動手段により駐車ブレーキを解除するようにしたため、駐車ブレーキの駐車中の凍結を確実に防止できる。
【００１０】
請求項３記載の発明によれば、水自体の半凍結現象による体積膨張を利用して、駐車ブレーキの初期凍結状態を検出するため、検出精度の信頼性が高い。
【発明を実施するための最良の形態】
【００１１】
駐車中における駐車ブレーキの凍結を確実に防止できるという目的を、駐車ブレーキの作動後に、Ｐポジションセンサが自動変速機のＰポジションを検出し、且つ外気温度センサが駐車ブレーキの凍結に至る直前温度以下の外気温度を検出した際に、電動駆動手段により駐車ブレーキを解除することで、実現した。
【実施例１】
【００１２】
図１及び図２は、本願発明の第１実施例を示す図である。まず、図１に基づいて構造を説明する。自動車の車輪１には、駐車ブレーキ２が設けられている。その駐車ブレーキ２には、電動駆動手段３の駆動力が駆動力伝達ケーブル４を介して伝達され、その駆動力により作動と解除が行われる。電動駆動手段３には強制レバー５が接続され、電動駆動手段３のトラブル等の際に手動により強制的な駐車ブレーキ２の解除が行えるようになっている。
【００１３】
電動駆動手段３は駐車ブレーキコントロールユニット６に接続され、駐車ブレーキコントロールユニット６に入力されるスイッチ７の信号により、駐車ブレーキ２の作動と解除を行う。
【００１４】
また、この駐車ブレーキコントロールユニット６には、Ｐポジションセンサ８を有する自動変速機制御ユニット９、外気温センサ１０、タイムコントロールユニット１１、ボディーアース１２、バッテリ１３も接続されている。
【００１５】
次に、図２のフローチャートに基づいて作用を説明する。
【００１６】
まず最初に、ステップＳ１で、電動駆動手段３により駐車ブレーキ２を作動させる。次に、ステップＳ２で、タイムコントロールユニット１１により、一定時間の経過をみる。一定時間経過したら、ステップＳ３で、Ｐポジションセンサ８がＰポジションを検出しているかどうかをみる。Ｐポジションでなければ、ステップＳ４で、駐車ブレーキ２の作動状態をそのまま維持する。
【００１７】
Ｐポジションであれば、次にステップＳ５で、外気温度センサ１０で検出した外気温度が、凍結直線温度以下の外気温度（例えば０°Ｃに至る直前の温度から凍結に至る温度の範囲）であるかどうかをみる。凍結直前温度よりも高く、駐車ブレーキ２が凍結する可能性のない場合は、ステップＳ４で、駐車ブレーキ２の作動状態をそのまま維持する。
【００１８】
凍結直前温度以下の温度であれば、次にステップＳ６で、電動駆動手段３による駐車ブレーキ２の解除中かどうかをみる。駐車ブレーキ２の解除中でなければ、ステップＳ７で、駐車ブレーキ２を解除する。駐車ブレーキ２の解除中であれば、ステップＳ８で解除した状態をそのまま維持する。
【００１９】
このように駐車ブレーキ２の作動後に、駐車ブレーキ２が凍結する可能性が生じた時には、凍結する前に駐車ブレーキ２を解除するため、駐車後に自動車が発進不能になることはない。また、駐車中に駐車ブレーキ２を解除しても、必ず自動変速機がＰポジションに入っているため、自動変速機にパーキングロック機構により、車両の移動は禁止される。
【実施例２】
【００２０】
図３〜図６は、この発明の第２実施例を示す図である。以下、第１実施例と重複するが、構造と作用について説明する。
【００２１】
まず、図３に基づいて構造を説明する。自動車の車輪１には、駐車ブレーキ２が設けられている。その駐車ブレーキ２には、電動駆動手段３の駆動力が駆動力伝達ケーブル４を介して伝達され、その駆動力により作動と解除が行われる。電動駆動手段３には強制レバー５が接続され、電動駆動手段３のトラブル等の際に手動により強制的な駐車ブレーキ２の解除が行えるようになっている。
【００２２】
電動駆動手段３は駐車ブレーキコントロールユニット６に接続され、駐車ブレーキコントロールユニット６に入力されるスイッチ７の信号により、駐車ブレーキ２の作動と解除を行う。
【００２３】
また、この駐車ブレーキコントロールユニット６には、Ｐポジションセンサ８を有する自動変速機制御ユニット９、初期凍結センサ１４、タイムコントロールユニット１１、ボディーアース１２、バッテリ１３も接続されている。
【００２４】
初期凍結センサ１４は、駐車ブレーキ２の近くに設置されている。初期凍結センサ１４は、図５及び図６に示すような構造をしている。すなわち、ケース１５の内部に移動弁１６により区画した膨張部１７を形成し、その膨張部１７内に水１８を満たした。そして、移動弁１６と、ケース１５の対向壁に、一対の接点１９、２０を設けた。外気温度が低下して、膨張室１７内の水が半凍結状態になって体積膨張を起こすと、移動弁１６が接点１９ごと、対向する接点２０側に移動して、接続する。この初期凍結センサ１４は、水自体の半凍結現象による体積膨張を利用して、駐車ブレーキ２の初期凍結状態を検出するため、検出精度の信頼性が高い。
【００２５】
次に、図４のフローチャートに基づいて作用を説明する。
【００２６】
まず最初に、ステップＳ１で、電動駆動手段３により駐車ブレーキ２を作動させる。次に、ステップＳ２で、タイムコントロールユニット１１により、一定時間の経過をみる。一定時間経過したら、ステップＳ３で、Ｐポジションセンサ８がＰポジションを検出しているかどうかをみる。Ｐポジションでなければ、ステップＳ４で、駐車ブレーキ２の作動状態をそのまま維持する。
【００２７】
Ｐポジションであれば、次にステップＳ５０で、初期凍結センサ１４が駐車ブレーキ２の初期凍結状態を検出しているかどうかをみる。初期凍結センサ１４の接点１９、２０が接続せず、駐車ブレーキ２が初期凍結に至っていない場合は、ステップＳ４で、駐車ブレーキ２の作動状態をそのまま維持する。
【００２８】
初期凍結センサ１４の水１８が半凍結状態となり、接点１９、２０が接続した場合には、駐車ブレーキ２が初期凍結状態なので、次にステップＳ６で、電動駆動手段３による駐車ブレーキ２の解除中かどうかをみる。駐車ブレーキ２の解除中でなければ、ステップＳ７で、駐車ブレーキ２を解除する。駐車ブレーキ２の解除中であれば、ステップＳ８で解除した状態をそのまま維持する。
【００２９】
このように駐車ブレーキ２の作動後に、駐車ブレーキ２が凍結する可能性が生じた時には、凍結する前に駐車ブレーキ２を解除するため、駐車後に自動車が発進不能になることはない。また、駐車中に駐車ブレーキ２を解除しても、必ず自動変速機がＰポジションに入っているため、自動変速機にパーキングロック機構により、車両の移動は禁止される。
【産業上の利用可能性】
【００３０】
車両の傾斜センサを別途設け、車両の傾斜時には、Ｐポジションに入っていても、駐車ブレーキを解除しないようにしても良い。
【００３１】
駐車中に、いったん駐車ブレーキ２を解除した後、再度、外気温度が上昇したために、外気温度センサ１０や初期凍結センサ１４からの信号に基づいて、駐車ブレーキ２を作動状態に復帰させても良い。この場合、再度外気温度が低下した場合には、解除状態に戻る。
【００３２】
初期凍結センサ１４の膨張部１７に含入される水１８の代わりに、同様の性質（例えば、凝固点が同じ）を有する液体としても良い。
【図面の簡単な説明】
【００３３】
【図１】本発明の第１実施例に係る電動駐車ブレーキ装置の構造を示すブロック図。
【図２】本願発明の第１実施例の作用を示すフローチャート。
【図３】本発明の第２実施例に係る電動駐車ブレーキ装置の構造を示すブロック図。
【図４】本願発明の第２実施例の作用を示すフローチャート。
【図５】初期凍結センサの未半凍結状態を示す断面図。
【図６】初期凍結センサの半凍結状態を示す断面図。
【符号の説明】
【００３４】
１  車輪
２  駐車ブレーキ
３  電動駆動手段
４  駆動力伝達ケーブル
５  強制解除レバー
６  駐車ブレーキコントロールユニット
７  スイッチ
８  Ｐポジションセンサ
９  自動変速機制御ユニット
１０  外気温度センサ
１１  タイムコントロールユニット
１２  ボディーアース
１３  バッテリ
１４  初期凍結センサ
【図１】
2005082035.tif 000003
【図２】
2005082035.tif 000004
【図３】
2005082035.tif 000005
【図４】
2005082035.tif 000006
【図５】
2005082035.tif 000007
【図６】
2005082035.tif 000008